(57)【要約】【課題】コンセントから抜いた後、自動的にプラグ端子が元の位置に復元する可動式差込みプラグを提供する。【解決手段】プラグ端子を支持する軸に、ストッパーカムとリターン用ねじりバネを設け、プラグ本体とストッパーカムに引っ掛かりを設ける。【選択図】図７
2014053284.tif 000002
【特許請求の範囲】
【請求項１】
軽い上下動によってコンセントから抜くことができる可動式差込みプラグにおいて、プラグ端子を支持する軸に、ストッパーカムとリターン用ねじりバネを設けることにより、コンセントから抜いた後、自動的にプラグ端子が元の位置に復元する差込みプラグの構造。
【請求項２】
請求項１の可動式差込みプラグにおいて、プラグ本体とストッパーカムに引っ掛かりを設けて、元の位置に復元したプラグ端子を安定させる差込みプラグの構造。
【発明の詳細な説明】
【技術分野】
【０００１】  本発明は、可動式差込みプラグを利用してコンセントからプラグを抜いたときに、自動的にプラグ端子が元の位置に復元する構造を提供するものである。
【背景技術】
【０００２】  差込みプラグのプラグ端子をコンセントに対して上下方向に自在に回転できる可動式プラグが考案され、「スナップキャップ」、「ムービープラグ」などの商品名で市販されている。この可動式プラグ本体をカム構造として、軽い上下動を加えることにより容易にコンセントから抜けるよう考案されたプラグ（以下「カムプラグ」という。）がある（登録実用新案第３１５５６１３号）。（図１から図６参照。）
【発明の概要】
【発明が解決しようとする課題】
【０００３】  カムプラグは確かに、コンセントに差し込まれたプラグを軽く持ち上げる、又は抑えるだけでコンセントから抜くことができるが、導電部であるプラグ先端がフリーの状態で本体に取り付けられているため、抜いた後はそのままの状態となっていた。
【課題を解決するための手段】
【０００４】  本発明では、カムプラグ内部のプラグ端子を支持する軸に、ストッパーカムとリターン用ねじりバネを設けることにより、コンセントから抜いた後、自動的にプラグ端子が元の位置に復元するカムプラグの構造を提供している。
また、プラグ本体とストッパーカムに引っ掛かりを設けて、元の位置に復元したプラグ端子をより安定させることもできる。
【図面の簡単な説明】
【０００５】
【図１】背景技術である「カムプラグ」（登録実用新案第３１５５６１３号）請求項１の形状（装着時側面図）
【図２】背景技術である「カムプラグ」（登録実用新案第３１５５６１３号）請求項１の作用図（側面図）
【図３】背景技術である「カムプラグ」（登録実用新案第３１５５６１３号）請求項２の形状（装着時側面図）
【図４】背景技術である「カムプラグ」（登録実用新案第３１５５６１３号）請求項２の作用図（側面図）
【図５】背景技術である「カムプラグ」（登録実用新案第３１５５６１３号）請求項３の形状（装着時側面図）
【図６】背景技術である「カムプラグ」（登録実用新案第３１５５６１３号）請求項３の作用図（側面図）
【図７】本発明の請求項１に関する、可動式差込プラグの外形図（側面図）
【図８】本発明の請求項１に関する、可動式差込プラグの外形図（断面図）
【図９】本発明の請求項１に関する、可動式差込プラグの説明図
【図１０】本発明の請求項１に関する、可動式差込プラグの作用図
【図１１】本発明の請求項２に関する、可動式差込プラグの作用図
【図１】
2014053284.tif 000003
【図２】
2014053284.tif 000004
【図３】
2014053284.tif 000005
【図４】
2014053284.tif 000006
【図５】
2014053284.tif 000007
【図６】
2014053284.tif 000008
【図７】
2014053284.tif 000009
【図８】
2014053284.tif 000010
【図９】
2014053284.tif 000011
【図１０】
2014053284.tif 000012
【図１１】
2014053284.tif 000013
【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
プラグ本体と、該プラグ本体に対して基端部が軸により支持されることにより回動自在に構成されたプラグ端子とを備えており、
前記プラグ端子は、前記プラグ本体に対して所定の元の位置にあるときにコンセント内電極に接続可能となるように構成されるとともに、前記コンセント内電極に接続されているときに前記プラグ本体が所定の取り外し方向へ回動されると、前記プラグ本体のカム構造により前記コンセント内電極から離脱するように構成されている可動式差込みプラグにおいて、
前記プラグ本体に対して前記プラグ端子を前記所定の取り外し方向へ付勢するリターン用ねじりバネが、前記軸の周囲に設けられているとともに、
前記プラグ本体に対する前記プラグ端子の、前記所定の取り外し方向への回動を、前記元の位置で停止させるストッパーカムが、前記プラグ端子の前記基端部に設けられている可動式差込みプラグ。
【請求項２】
前記プラグ本体に対して前記プラグ端子が前記元の位置にあるときにおいて、前記プラグ本体と前記ストッパーカムに、互いに係合する引っ掛かりを設けている請求項１記載の可動式差込みプラグ。
【手続補正２】
【補正対象書類名】明細書
【補正対象項目名】全文
【補正方法】変更
【補正の内容】
【発明の詳細な説明】
【技術分野】
【０００１】
本発明は、可動式差込みプラグを利用してコンセントからプラグを抜いたときに、自動的にプラグ端子が元の位置に復元する構造を提供するものである。
【背景技術】
【０００２】
差込みプラグのプラグ端子をコンセントに対して上下方向に自在に回転できる可動式プラグが考案され、「スナップキャップ」、「ムービープラグ」などの商品名で市販されている。この可動式プラグ本体をカム構造として、軽い上下動を加えることにより容易にコンセントから抜けるよう考案されたプラグ（以下「カムプラグ」という。）がある（特許文献１）。（図１から図６参照。）
【先行技術文献】
【特許文献】
【０００３】
【特許文献１】実用新案登録第３１５５６１３号公報（図１〜図６）
【発明の概要】
【発明が解決しようとする課題】
【０００４】
カムプラグは確かに、コンセントに差し込まれたプラグを軽く持ち上げる、又は抑えるだけでコンセントから抜くことができるが、導電部であるプラグ先端がフリーの状態で本体に取り付けられているため、抜いた後はそのままの状態となっていた。
【課題を解決するための手段】
【０００５】
前記課題を解決するために、本発明の可動式差込みプラグは、
プラグ本体と、該プラグ本体に対して基端部が軸により支持されることにより回動自在に構成されたプラグ端子とを備えており、
前記プラグ端子は、前記プラグ本体に対して所定の元の位置にあるときにコンセント内電極に接続可能となるように構成されるとともに、前記コンセント内電極に接続されているときに前記プラグ本体が所定の取り外し方向へ回動されると、前記プラグ本体のカム構造により前記コンセント内電極から離脱するように構成されている可動式差込みプラグにおいて、
前記プラグ本体に対して前記プラグ端子を前記所定の取り外し方向へ付勢するリターン用ねじりバネが、前記軸の周囲に設けられているとともに、
前記プラグ本体に対する前記プラグ端子の、前記所定の取り外し方向への回動を、前記元の位置で停止させるストッパーカムが、前記プラグ端子の前記基端部に設けられている。
【０００６】
このように、本発明では、カムプラグ内部のプラグ端子を支持する軸に、ストッパーカムとリターン用ねじりバネを設けることにより、コンセントから抜いた後、自動的にプラグ端子が元の位置に復元するカムプラグの構造を提供している。
【０００７】
前記可動式差込みプラグとしては、
前記プラグ本体に対して前記プラグ端子が前記元の位置にあるときにおいて、前記プラグ本体と前記ストッパーカムに、互いに係合する引っ掛かりを設けている態様を例示する。
【０００８】
このように、プラグ本体とストッパーカムに引っ掛かりを設けて、元の位置に復元したプラグ端子をより安定させることもできる。
【図面の簡単な説明】
【０００９】
【図１】背景技術である「カムプラグ」（登録実用新案第３１５５６１３号）請求項１の形状（装着時側面図）。
【図２】背景技術である「カムプラグ」（登録実用新案第３１５５６１３号）請求項１の作用図（側面図）。
【図３】背景技術である「カムプラグ」（登録実用新案第３１５５６１３号）請求項２の形状（装着時側面図）。
【図４】背景技術である「カムプラグ」（登録実用新案第３１５５６１３号）請求項２の作用図（側面図）。
【図５】背景技術である「カムプラグ」（登録実用新案第３１５５６１３号）請求項３の形状（装着時側面図）。
【図６】背景技術である「カムプラグ」（登録実用新案第３１５５６１３号）請求項３の作用図（側面図）。
【図７】本発明の請求項１に関する、可動式差込プラグの外形図（側面図）
【図８】本発明の請求項１に関する、可動式差込プラグの外形図（断面図）
【図９】本発明の請求項１に関する、可動式差込プラグの説明図
【図１０】本発明の請求項１に関する、可動式差込プラグの作用図
【図１１】本発明の請求項２に関する、可動式差込プラグの作用図